(57)【要約】【課題】いったん嵌めると、簡単にカバーをこじ開けることができないようにしたヒュージブルリンクを提供する。【解決手段】一方のカバー２０に設けられたロックアーム２１のロック孔周部２１ｂ、および他方のカバー２０の側縁部２０ａは、各カバー２０がハウジング１１に装着された際に対向するそれぞれの先端が合わせ面となる傾斜面２０ｂ、２１ｃを有しているとともに、その傾斜面２０ｂ、２１ｃが当接している、あるいは治具２００が有する尖った先端が進入不能な程度の微小隙間Ｓを以って対面している。【選択図】図５
2010199024.tif 000002
【特許請求の範囲】
【請求項１】
複数の窓部を配列した板状部分を有する樹脂製のハウジングと、該ハウジングに組み込まれたバスバーと、該バスバーに連結されたヒューズエレメント部と、を有し、前記ヒューズエレメント部が前記ハウジングの前記各窓部にそれぞれ対向するように位置するヒュージブルリンク本体と、
前記ハウジングの前記板状部分の両面を挟むようにして該ハウジングに装着され、前記窓部に対向するように位置する前記ヒューズエレメント部を視認可能に覆う２枚の板状の樹脂製のカバーと、を有し、
前記各カバーの両側縁部には、ロック孔を画成するロック孔周部を有するロックアームが、該カバーが前記ハウジングに装着された際の該ハウジングの前記板状部分の側端面に被さるように延設されるとともに、前記ハウジングの板状部分の側端面には、前記カバーが前記ハウジングに装着された際に前記ロック孔に係合するロック突起が突設され、前記ロック孔に前記ロック突起を係合させることにより、前記カバーと前記ヒュージブルリンク本体が一体的に結合されるヒュージブルリンクにおいて、
一方の前記カバーに設けられた前記ロックアームの前記ロック孔周部、および他方の前記カバーの側縁部は、前記各カバーが前記ハウジングに装着された際に対向するそれぞれの先端が合わせ面となる傾斜面を有しているとともに、その傾斜面が当接している、あるいは治具が有する尖った先端が進入不能な程度の微小隙間を以って対面している、
ことを特徴とするヒュージブルリンク。
【請求項２】
前記傾斜面は、前記カバーの肉厚方向に対して傾きを有する、
ことを特徴とする請求項１に記載のヒュージブルリンク。
【請求項３】
前記各カバーの両側縁部には、該カバーに設けられた前記ロックアーム、または前記各カバーが前記ハウジングに装着された際に相手方の前記カバーに設けられた前記ロックアーム、に隣り合う位置に形成された凸片が、該カバーが前記ハウジングに装着された際の該ハウジングの前記板状部分の側端面に被さるように延設されており、
前記凸片、及び該凸片に隣り合う前記ロックアームは、前記各カバーが前記ハウジングに装着された際に対向するそれぞれの先端が当接している、あるいは治具の尖った先端が進入不能な程度の微小隙間を以って対面している、
ことを特徴とする請求項１または２に記載のヒュージブルリンク。
【発明の詳細な説明】
【技術分野】
【０００１】
本発明は、主に自動車の電気回路に介在されるヒュージブルリンクに関するものである。
【背景技術】
【０００２】
この種のヒュージブルリンクは一般的に、特許文献１に記載されているように、樹脂製のハウジングと、そのハウジングに組み込まれたバスバーと、バスバーと一体に連結されたヒューズエレメントと、ヒューズエレメントを視認可能に保護する樹脂製のカバーとから構成されている。
【０００３】
図６〜図８は従来のヒュージブルリンクの一例を示している。このヒュージブルリンクはヒューズエレメント部を一列に配列した多連鎖型のもので、図６に示すように、ヒュージブルリンク本体１１０と、２枚のカバー１２０とから構成されている。ヒュージブルリンク本体１１０は、複数の窓部１１１ｂを配列した板状部分１１１ａを有する樹脂製のハウジング１１１に、回路部材としてのバスバー１１２を組み込み、ハウジング１１１の各窓部１１１ｂに、バスバー１１２に連結されたヒューズエレメント部１１５をそれぞれ位置させたものとして構成されている。
【０００４】
樹脂製のカバー１２０は、ヒュージブルリンク本体１１０の板状部分１１１ａの両面を両側から挟むようにしてハウジング１１１に装着されることで、窓部１１１ａに位置しているヒューズエレメント部１１５を視認可能に覆う役目を果たす。各カバー１２０の両側縁部には、ハウジング１１１の板状部分１１１ａの側端面に被さるロックアーム１２１が延設されている。このとき、ロックアーム１２１は、反対側のカバー１２０に設けられるロックアーム１２１とは該カバー１２０の幅方向に位置をずらして（図６では上下に位置をずらして）、各カバー１２０に設けられている。一方、ハウジング１１１の板状部分１１１ａの側端面には、ロックアーム１２１のロック孔１２１ａに嵌まるロック突起１１８が突設されている。そして、ロックアーム１２１のロック孔１２１ａをロック突起１１８に係合させることにより、カバー１２０とヒュージブルリンク本体１１０が一体的に結合されている。
【先行技術文献】
【特許文献】
【０００５】
【特許文献１】特開２００８−４１３７９号公報
【発明の概要】
【発明が解決しようとする課題】
【０００６】
ところで、図６に示した従来のヒュージブルリンクでは、図７及び図８（ａ）、（ｂ）に示すように、２枚のカバー１２０をヒュージブルリンク本体１１０に装着した状態で、ロックアーム１２１の先端１２１ｂと反対側のカバー１２０の側縁部１２０ａとの間に比較的大きな隙間Ｓができるため、その隙間Ｓにドライバー等の一部が尖った形状を有する治具２００の先端２０１を差し込むことで、容易にロックを外してカバー１２０をこじ開けることができてしまい、ユーザーによる不正改造を許してしまう可能性があった。
【０００７】
本発明は、上述した事情に鑑みてなされたものであり、その目的は、いったん嵌めると、簡単にカバーをこじ開けることができないようにしたヒュージブルリンクを提供することにある。
【課題を解決するための手段】
【０００８】
前述した目的を達成するために、本発明に係るヒュージブルリンクは、下記（１）〜（３）を特徴としている。
（１）  複数の窓部を配列した板状部分を有する樹脂製のハウジングと、該ハウジングに組み込まれたバスバーと、該バスバーに連結されたヒューズエレメント部と、を有し、前記ヒューズエレメント部が前記ハウジングの前記各窓部にそれぞれ対向するように位置するヒュージブルリンク本体と、
前記ハウジングの前記板状部分の両面を挟むようにして該ハウジングに装着され、前記窓部に対向するように位置する前記ヒューズエレメント部を視認可能に覆う２枚の板状の樹脂製のカバーと、を有し、
前記各カバーの両側縁部には、ロック孔を画成するロック孔周部を有するロックアームが、該カバーが前記ハウジングに装着された際の該ハウジングの前記板状部分の側端面に被さるように延設されるとともに、前記ハウジングの板状部分の側端面には、前記カバーが前記ハウジングに装着された際に前記ロック孔に係合するロック突起が突設され、前記ロック孔に前記ロック突起を係合させることにより、前記カバーと前記ヒュージブルリンク本体が一体的に結合されるヒュージブルリンクにおいて、
一方の前記カバーに設けられた前記ロックアームの前記ロック孔周部、および他方の前記カバーの側縁部は、前記各カバーが前記ハウジングに装着された際に対向するそれぞれの先端が合わせ面となる傾斜面を有しているとともに、その傾斜面が当接している、あるいは治具が有する尖った先端が進入不能な程度の微小隙間を以って対面している、
こと。
（２）  上記（１）の構成のヒュージブルリンクにおいて、
前記傾斜面は、前記カバーの肉厚方向に対して傾きを有する、
こと。
（３）  上記（１）または（２）の構成のヒュージブルリンクにおいて、
前記各カバーの両側縁部には、該カバーに設けられた前記ロックアーム、または前記各カバーが前記ハウジングに装着された際に相手方の前記カバーに設けられた前記ロックアーム、に隣り合う位置に形成された凸片が、該カバーが前記ハウジングに装着された際の該ハウジングの前記板状部分の側端面に被さるように延設されており、
前記凸片、及び該凸片に隣り合う前記ロックアームは、前記各カバーが前記ハウジングに装着された際に対向するそれぞれの先端が当接している、あるいは治具の尖った先端が進入不能な程度の微小隙間を以って対面している、
こと。
【０００９】
上記（１）の構成のヒュージブルリンクによれば、ドライバー等の工具の先端を、ロックアームの先端と反対側のカバーの側縁部の先端との間の隙間に差し込むことこと自体を難しくすることができる。従って、工具の先端を差し込んでカバーを無理にこじ開けることを防止して、不正改造を許さないようにすることができる。
上記（２）の構成のヒュージブルリンクによれば、特に、それらの先端が対向する対向面をカバーの肉厚方向に傾斜した傾斜面として形成しているので、隙間自体を外から見えにくくすることができると共に、工具の先端の差し込み方向の見当を付けにくくすることができ、工具の先端の差し込みを困難にすることができる。
上記（３）の構成のヒュージブルリンクによれば、凸片及び該凸片に隣り合うロックアームによって、ロックアームの両方の側端面を外から見えないようにすることができるので、ロックアームの側方から工具の先端を差し込むこともできないようにすることができ、その方向からの無理なこじ開けも防止することができる。
【発明の効果】
【００１０】
本発明によれば、カバーの無理なこじ開けを防止することができ、不正改造の防止を図ることができる。
【００１１】
以上、本発明について簡潔に説明した。更に、以下に説明される発明を実施するための形態を添付の図面を参照して通読することにより、本発明の詳細は更に明確化されるであろう。
【図面の簡単な説明】
【００１２】
【図１】本発明の実施形態のヒュージブルリンクの分解斜視図である。
【図２】同ヒュージブルリンクのカバーを取り付ける前の分解斜視図である。
【図３】同ヒュージブルリンクの外観斜視図である。
【図４】同ヒュージブルリンクのロックアームの先端の隙間にドライバー等の工具の先端を差し込もうとしている状態を示す斜視図である。
【図５】（ａ）は図４においてドライバー等の工具の先端を差し込もうとしている部分の断面図、（ｂ）は（ａ）のＶｂ部の拡大図である。
【図６】従来のヒュージブルリンクの分解斜視図である。
【図７】同ヒュージブルリンクのロックアームの先端の隙間にドライバー等の工具の先端を差し込もうとしている状態を示す斜視図である。
【図８】（ａ）は図７においてドライバー等の工具の先端を差し込もうとしている部分の断面図、（ｂ）は（ａ）のＶＩＩＩｂ部の拡大図である。
【発明を実施するための形態】
【００１３】
以下、本発明の実施形態を図面を参照して説明する。
図１は実施形態のヒュージブルリンクの分解斜視図、図２は同ヒュージブルリンクのカバーを取り付ける前の分解斜視図、図３は同ヒュージブルリンクの外観斜視図、図４は同ヒュージブルリンクのロックアームの先端の隙間にドライバー等の工具の先端を差し込もうとしている状態を示す斜視図、図５（ａ）は図４においてドライバー等の工具の先端を差し込もうとしている部分の断面図、（ｂ）は（ａ）のＶｂ部の拡大図である。
【００１４】
図１〜図３に示すように、この実施形態のヒュージブルリンクは、ヒュージブルリンク本体１０と、２枚のカバー２０とから構成されている。ヒュージブルリンク本体１０は、複数の窓部１１ｂを配列した板状部分１１ａを有する樹脂製のハウジング１１と、回路部材としてハウジング１１に組み込まれたバスバー１２と、バスバー１２に連結されたヒューズエレメント部１５と、を含んで構成される。ヒューズエレメント部１５は、ハウジング１１の各窓部１１ｂにそれぞれ対向するように位置している。
【００１５】
バスバー２０は、帯板の長手方向の一端に共通端子部１２ａを形成し、帯板の幅方向の側縁に多数の分岐端子部１２ｂを配列したもので、それらの分岐端子部１２ｂに各ヒューズエレメント部１５の一端１５ａが結合され、各ヒューズエレメント部１５の他端１５ｂが、ハウジング１１に一体化された接続端子１３が結合され、それにより各接続端子１３が、それぞれ各ヒューズエレメント部１５の一端１５ａと他端１５ｂの間の可溶部１５ｃを介して共通端子１２ａに接続されている。
【００１６】
樹脂製のカバー２０は、ヒュージブルリンク本体１０の板状部分１１ａの両面を両側から挟むようにしてハウジング１１に装着されることで、窓部１１ａに位置しているヒューズエレメント部１５を視認可能に覆う役目を果たす。
【００１７】
各カバー２０の両側縁部には、カバー２０がハウジング１１に装着された際に、ハウジング１１の板状部分１１ａの側端面に被さるように、ロックアーム２１が延設されている。このロックアーム２１は、ほぼ中央部にロック孔２１ａが形成されており、そのロック孔２１ａは、ロック孔周部２１ｂによって画成されている。ロックアーム２１は、各カバー２０がハウジング１１に装着された際には、ハウジング１１の板状部分１１ａの側端面に沿って交互に位置するように、各カバー２０の両側縁部に形成されている。
【００１８】
一方、ハウジング１１の板状部分１１ａの側端面には、ロックアーム２１のロック孔２１ａに嵌まるロック突起１８が突設されている。そして、ロックアーム２１をロック突起１８に係合させることにより、カバー２０とヒュージブルリンク本体１０が一体的に結合されるようになっている。
【００１９】
ここで、本実施形態のヒュージブルリンクでは、図４、図５（ａ）、（ｂ）に示すように、一方のカバー２０に設けられたロックアーム２１のロック孔周部２１ｂ、および他方のカバー２０の側縁部２０ａは、各カバー２０がハウジング１１に装着された際に対向するそれぞれの先端が合わせ面となる傾斜面２０ｂ、２１ｃを有しているとともに、その傾斜面２０ｂ、２１ｃが当接している、あるいは治具２００が有する尖った先端が進入不能な程度の微小隙間Ｓを以って対面している。傾斜面２０ｂ、２１ｃは、図５（ｂ）にＲ１、Ｒ２で示す部分であり、カバー２０の肉厚方向（矢印Ａ方向）に対して傾斜している。
【００２０】
また、各カバー２０の両側縁部２０ａには、該カバー２０に設けられたロックアーム２１、または各カバ２０ーがハウジング１１に装着された際に相手方のカバー２０に設けられたロックアーム２１、に隣り合う位置に、凸片２２が形成されている。この凸片２２は、カバー２０がハウジング１１に装着された際の該ハウジング１１の板状部分１１ａの側端面に被さるようにカバー２０から延設されている。本実施の形態では、凸片２２は、カバー２０の両側縁部２０ａの一端（カバー２０の幅方向の一端部）に設けられている。凸片２２、及び該凸片２２に隣り合うロックアーム２１は、各カバー２０がハウジング１１に装着された際に対向するそれぞれの先端が当接している、あるいは治具２０が有する尖った先端が進入不能な程度の微小隙間を以って対面している。
【００２１】
このヒュージブルリンクを組み立てる場合は、予めヒューズエレメント部１５が装着されたヒュージブルリンク本体１０の板状部分１１に両側からカバー２０を被せる。そして、各カバー２０のロックアーム２１をハウジング１１のロック突起１８に係合させる。これにより、図３〜図５に示すように、２枚のカバー２０がヒュージブルリンク本体１０に一体に取り付けられる。
【００２２】
組み立てられた状態においては、一方のカバー２０のロックアーム２１の先端（傾斜面２１ｃ）と、反対側のカバー２０の側縁部２０ａの先端（傾斜面２０ｂ）との間に隙間Ｓがほとんど無くなるので、ドライバー等の一部の形状が尖った工具２００の先端２０１をその隙間Ｓに差し込むことことが難しくなる。特に、その先端が対向する対向面をカバー２０の肉厚方向Ａに傾斜した傾斜面２１ｃ、２０ｂとして形成しているので、隙間Ｓ自体を外から見えにくくすることができると共に、工具２００の先端２０１の差し込み方向の見当を付けにくくすることができ、工具２００の先端２０１の差し込みを困難にすることができる。従って、工具２００の先端２０１を差し込んでカバー２０を無理にこじ開けることを防止できる。
【００２３】
また、このヒュージブルリンクでは、凸片２２及び該凸片に隣り合うロックアーム２１によって、ロックアーム０の両方の側端面を外から見えないようにすることができるので、ロックアーム２０の側方から工具の先端を差し込むこともできないようにすることができ、その方向からの無理なこじ開けも防止することができる。そのため、ユーザーによる不正改造を許さないようにすることができる。
【００２４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００２５】
１０  ヒュージブルリンク本体
１１  ハウジング
１１ａ  板状部分
１１ｂ  窓部
１２  バスバー
１５  ヒューズエレメント部
１８  ロック突起
２０  カバー
２０ａ  側縁部
２０ｂ  傾斜面
２１  ロックアーム
２１ａ  ロック孔
２１ｂ  ロック孔周部
２１ｃ  傾斜面
２２  凸片
【図１】
2010199024.tif 000003
【図２】
2010199024.tif 000004
【図３】
2010199024.tif 000005
【図４】
2010199024.tif 000006
【図５】
2010199024.tif 000007
【図６】
2010199024.tif 000008
【図７】
2010199024.tif 000009
【図８】
2010199024.tif 000010